(57)【要約】【課題】連続する吸収性シートの高速搬送を行う場合でも、スリットが形成された吸収体をより確実に製造できる吸収体の製造方法及び製造装置、この製造装置により製造される吸収体を提供すること。【解決手段】製造装置１は、連続する吸収性シート１０５を搬送する搬送機構と、搬送機構により搬送される吸収性シート１０５に所定方向に延びる複数のスリット刃を押し付けるスリット機構２０と、これらスリット刃が押し付けられた吸収性シート１０５を切断して吸収性物品用吸収体１１０を形成する切断機構３０と、を有する。製造装置１は、切断機構３０の上流に、スリット刃が押し付けられた吸収性シート１０５を所定方向に直交する方向に伸張させてスリット１５５を形成する伸張機構４０を更に備える。【選択図】図１
2007135646.tif 000002
【特許請求の範囲】
【請求項１】
吸収性物品用吸収体の製造方法であって、
連続する吸収性シートに、所定方向に延びる複数のスリット刃を押し付ける工程と、
前記複数のスリット刃が押し付けられた吸収性シートを前記所定方向に直交する方向に伸張させてスリットを形成する工程と、
前記スリットが形成された吸収性シートを所定形状に切断して吸収性物品用吸収体を形成する工程と、を含む吸収性物品用吸収体の製造方法。
【請求項２】
吸収性物品用吸収体の製造装置であって、
連続する吸収性シートを搬送する搬送機構と、前記搬送機構により搬送される吸収性シートに所定方向に延びる複数のスリット刃を押し付けるスリット機構と、前記スリット刃が押し付けられた吸収性シートを切断して吸収性物品用吸収体を形成する切断機構と、を有し、
前記切断機構の上流に、前記スリット刃が押し付けられた吸収性シートを前記所定方向に直交する方向に伸張させてスリットを形成する伸張機構を更に備える吸収性物品用吸収体の製造装置。
【請求項３】
前記所定方向は、搬送方向に平行する方向であり、
前記伸張機構は、前記搬送方向に直交する方向に一定間隔をあけて、前記搬送される吸収性シートの上下側の各々に順次配置される複数の回転ローラを有し、
これら複数の回転ロールは、各々、配置された側の反対側に吸収性シートを押し曲げることにより、前記スリット刃が押し付けられた吸収性シートを前記搬送方向に直交する方向に伸張させてスリットを形成する請求項２記載の製造装置。
【請求項４】
前記所定方向は、搬送方向に直交する方向であり、
前記伸張機構は、前記搬送方向に直交する方向に延びる複数の突出部を外表面に備えた少なくとも一対の回転ローラを有し、
これら一対の回転ローラは、前記複数の突出部が噛合することにより、前記スリット刃が押し付けられた吸収性シートを前記搬送方向に平行する方向に伸張させてスリットを形成する請求項２記載の製造装置。
【請求項５】
前記所定方向は、搬送方向に直交する方向及び前記搬送方向に平行する方向であり、
前記伸張機構は、前記搬送方向に直交する方向に延びる複数の突出部を外表面に備えた少なくとも一対の第１回転ローラと、前記搬送方向に直交する方向に一定間隔をあけて、前記搬送される吸収性シートの上下側の各々に順次配置される複数の第２回転ローラと、を有し、
前記一対の第１回転ローラは、前記複数の突出部が噛合することにより、前記スリット刃が押し付けられた吸収性シートを前記搬送方向に平行する方向に伸張させ、
前記複数の第２回転ローラは、各々、配置された側の反対側に吸収性シートを押し曲げることにより、前記スリット刃が押し付けられた吸収性シートを前記搬送方向に直交する方向に伸張させることで、スリットを形成する請求項２記載の製造装置。
【請求項６】
請求項２から５記載の製造装置により製造された吸収性物品用吸収体。
【発明の詳細な説明】
【技術分野】
【０００１】
本発明は、経血やおりもの等の体液を吸収するための生理用ナプキン、パンティーライナー、失禁パッド等の吸収性物品に用いられる吸収体の製造方法及び製造装置、この製造装置により製造される吸収体に関する。
【背景技術】
【０００２】
従来から、経血やおりもの等の体液を吸収するための生理用ナプキン、パンティーライナー、失禁パッド等の吸収性物品において、取扱い性等の向上を目指して、薄型化が要請されている。しかし、吸収性物品を薄型化すると、体液を吸収保持する部材である吸収体が硬くごわごわとしたものとなり、柔軟性を損なうという問題があった。
【０００３】
そこで、例えば、以下のような吸収性物品が開示されている（特許文献１参照）。
この吸収性物品は、液透過性のトップシートと、液不透過性のバックシートと、これらトップシートとバックシートとの間に介在する吸収体とを備える。そして、この吸収体は、両面において、吸収体の長手方向に沿って延びる凹部及び凸部が連続して設けられている。これにより、この吸収体は、断面波状に構成されている。
この吸収性物品によれば、断面波状となるように吸収体を加工したので、付加される力に応じて波間の距離が自在に調節されるから、吸収体としての柔軟性を向上できる。
【０００４】
しかし、この吸収性物品では、吸収体を断面波状としたため、吸収体とバックシートとの接着領域が低下するから、吸収体とバックシートとの連動性が損なわれる。その結果、バックシートが周知のズレ止め手段等によって着衣の動きに追従したとしても、吸収体はバックシートに連動しないので、着衣の動きに充分には追従できない。よって、吸収体がヨレやすくなり、体液の漏れを誘発する場合があった。
【０００５】
そこで、以下のような吸収性物品が開示されている（特許文献２参照）。
この吸収性物品は、液透過性のトップシートと、液不透過性のバックシートと、これらトップシートとバックシートとの間に介在する吸収体とを備える。そして、この吸収体には、複数のスリットが設けられている。
この吸収性物品によれば、吸収体に複数のスリットを設けたので、着衣等が動いたとき、吸収体は連動して折り曲がり、折曲部の突出側外面がスリットを拡開するとともに、折曲部の内側がスリットを閉止する。これにより、吸収体は、折曲部における高剛性部位の発生を抑制しつつ、変形、折曲等できるから、吸収性物品の柔軟性を向上できる。
しかも、上述した特許文献１に示される吸収性物品とは異なり、吸収体とバックシートとの接着領域が低下することにより、吸収体とバックシートとの連動性が損なわれるという問題も生じにくい。
【０００６】
ところで、上述した複数のスリットが設けられた吸収体の製造方法としては、以下のような製造装置を用いた方法が挙げられる。
即ち、この製造装置は、連続する吸収性シートを搬送する搬送ローラと、所定方向に延びる複数のスリット刃を外表面に備えこの搬送ローラにより搬送された吸収性シートにスリット刃を押し付けるスリットローラと、このスリット刃が押し付けられた吸収性シートを切断して吸収性物品用吸収体を形成する切断ローラと、これらのローラを回転させる駆動モータと、を有する。
この製造装置は、次のように作動する。まず、駆動モータによって搬送ローラが回転させられ、連続する吸収性シートを搬送する。そして、この搬送される吸収性シートに、駆動モータによって回転させられたスリットローラが、スリット刃を押し付ける。その後、駆動モータによって回転させられた切断ローラが、この吸収性シートを所定形状に切断することで、吸収体を製造する。
【特許文献１】特開２００３−３８５５２号公報
【特許文献２】実開平４−５１９３０号公報
【発明の開示】
【発明が解決しようとする課題】
【０００７】
ところで、近年、吸収性物品の大量生産の要請が高まっており、これに伴って、吸収体の製造工程における吸収性シートの高速搬送が必要となる。
【０００８】
しかしながら、上述した製造装置を用いて吸収性シートの高速搬送を行うと、高速搬送される吸収性シートにスリット刃が充分に押し付けられず、スリット刃が吸収性シートを貫通しないために、スリットを充分に形成できない場合があった。
しかも、スリット刃が吸収性シートを貫通しなかった部位は、高密度化され、硬度が大きく上昇する。このため、この吸収体を使用した吸収性物品は、逆に、剛性が上昇して、柔軟性が損なわれる場合もあった。
【０００９】
そこで、本発明は、連続する吸収性シートの高速搬送を行う場合でも、スリットが形成された吸収体をより確実に製造できる吸収体の製造方法及び製造装置、この製造装置により製造される吸収体を提供することを目的とする。
【課題を解決するための手段】
【００１０】
本発明は、具体的には、以下のようなものを提供する。
【００１１】
（１）  吸収性物品用吸収体の製造方法であって、
連続する吸収性シートに、所定方向に延びる複数のスリット刃を押し付ける工程と、
前記複数のスリット刃が押し付けられた吸収性シートを前記所定方向に直交する方向に伸張させて、スリットを形成する工程と、
前記スリットが形成された吸収性シートを所定形状に切断して吸収性物品用吸収体を形成する工程と、を含む吸収性物品用吸収体の製造方法。
【００１２】
（１）の発明によれば、切断工程の前に、複数のスリット刃が押し付けられた吸収性シートを所定方向に直交する方向に伸張させて、スリットを形成する工程を設けた。このため、高速搬送される吸収性シートにスリット刃が充分に押し付けられず、スリット刃が吸収性シートを貫通しなかった場合であっても、複数のスリット刃が延びる方向に直交する方向に伸張されて、スリットが形成される。
従って、連続する吸収性シートの高速搬送を行う場合でも、スリットが形成された吸収体をより確実に製造できる。
【００１３】
この明細書に言う「所定方向」とは、通常、吸収性シートの搬送方向に平行する方向あるいは直交する方向であるが、目的に応じて、適宜自由に設定してよい。
【００１４】
なお、吸収性シートを所定方向に直交する方向に伸張させるためには、この方向に吸収性シートを引っ張る、吸収性シートの平面と直交する方向に押し曲げる、吸収性シートの平面を打撃等すればよい。
【００１５】
（２）  吸収性物品用吸収体の製造装置であって、
連続する吸収性シートを搬送する搬送機構と、前記搬送機構により搬送される吸収性シートに所定方向に延びる複数のスリット刃を押し付けるスリット機構と、前記スリット刃が押し付けられた吸収性シートを切断して吸収性物品用吸収体を形成する切断機構と、を有し、
前記切断機構の上流に、前記スリット刃が押し付けられた吸収性シートを前記所定方向に直交する方向に伸張させてスリットを形成する伸張機構を更に備える吸収性物品用吸収体の製造装置。
【００１６】
（２）の発明によれば、切断機構の上流に、スリット刃が押し付けられた吸収性シートを所定方向に直交する方向に伸張させて、スリットを形成する伸張機構を設けた。このため、高速搬送される吸収性シートにスリット刃が充分に押し付けられず、スリット刃が吸収性シートを貫通しない場合であっても、吸収性シートが複数のスリット刃が延びる方向に直交する方向に伸張させられ、スリットが形成される。
従って、連続する吸収性シートの高速搬送を行う場合でも、スリットが形成された吸収体をより確実に製造できる。
【００１７】
なお、この明細書で言う「上流」とは、吸収性シート搬送方向の逆方向側を意味する。また、「下流」とは、吸収性シート搬送方向の順方向側を意味する。
【００１８】
（３）  前記所定方向は、搬送方向に平行する方向であり、
前記伸張機構は、前記搬送方向に直交する方向に一定間隔をあけて、前記搬送される吸収性シートの上下側の各々に順次配置される複数の回転ローラを有し、
これら複数の回転ローラは、各々、配置された側の反対側に吸収性シートを押し曲げることにより、前記スリット刃が押し付けられた吸収性シートを前記搬送方向に直交する方向に伸張させてスリットを形成する（２）記載の製造装置。
【００１９】
（３）の発明によれば、スリット刃が搬送方向に平行する方向に延びるようにスリット機構を構成したので、吸収性シートには、スリット刃が押し付けられることで、搬送方向に延びる被押圧部が形成される。
ここで、伸張機構を、搬送方向に直交する方向に一定間隔をあけて、搬送される吸収性シートの上下側の各々に順次配置される複数の回転ローラを有する構成とした。これにより、被押圧部が形成された吸収性シートは、搬送されて伸張機構を通過する際、回転ローラの各々によって上下交互に押し曲げられることにより、搬送方向に直交する方向に伸張させられる。
【００２０】
このため、高速搬送される吸収性シートにスリット刃が充分に押し付けられず、スリット刃が吸収性シートを貫通しなかった場合であっても、搬送方向に直交する方向に伸張させられることで、搬送方向に延びる被押圧部が貫通させられ、スリットが形成される。
従って、連続する吸収性シートの高速搬送を行う場合でも、スリットが形成された吸収体をより確実に製造できる。
【００２１】
（４）  前記所定方向は、搬送方向に直交する方向であり、
前記伸張機構は、前記搬送方向に直交する方向に延びる複数の突出部を外表面に備えた少なくとも一対の回転ローラを有し、
これら一対の回転ローラは、前記複数の突出部が噛合することにより、前記スリット刃が押し付けられた吸収性シートを前記搬送方向に平行する方向に伸張させてスリットを形成する（２）記載の製造装置。
【００２２】
（４）の発明によれば、スリット刃が搬送方向に直交する方向に延びるようにスリット機構を構成したので、吸収性シートには、スリット刃が押し付けられることで、搬送方向に直交する方向に延びる被押圧部が形成される。
ここで、伸張機構を、搬送方向に直交する方向に延びる複数の突出部を外表面に備えた少なくとも一対の回転ローラを有する構成とした。これにより、被押圧部が形成された吸収性シートは、搬送されて伸張機構を通過する際、搬送方向に直交する方向に延びる複数の突出部が噛合することに伴って、この噛合部位に巻き込まれ、搬送方向に平行する方向に伸張させられる。
【００２３】
このため、高速搬送される吸収性シートにスリット刃が充分に押し付けられず、スリット刃が吸収性シートを貫通しなかった場合であっても、搬送方向に平行する方向に伸張させられることで、搬送方向に直交する方向に延びる被押圧部が貫通させられ、スリットが形成される。
従って、連続する吸収性シートの高速搬送を行う場合でも、スリットが形成された吸収体をより確実に製造できる。
【００２４】
なお、この明細書でいう「被押圧部」とは、貫通しているか否かにかかわらず、スリット刃を押圧された部位を指すが、特に、貫通していない状態のものを対象とする。
【００２５】
（５）  前記所定方向は、搬送方向に直交する方向及び前記搬送方向に平行する方向であり、
前記伸張機構は、前記搬送方向に直交する方向に延びる複数の突出部を外表面に備えた少なくとも一対の第１回転ローラと、前記搬送方向に直交する方向に一定間隔をあけて、前記搬送される吸収性シートの上下側の各々に順次配置される複数の第２回転ローラと、を有し、
前記一対の第１回転ローラは、前記複数の突出部が噛合することにより、前記スリット刃が押し付けられた吸収性シートを前記搬送方向に平行する方向に伸張させ、
前記複数の第２回転ローラは、各々、配置された側の反対側に吸収性シートを押し曲げることにより、前記スリット刃が押し付けられた吸収性シートを前記搬送方向に直交する方向に伸張させることで、スリットを形成する（２）記載の製造装置。
【００２６】
（５）の発明によれば、スリット刃が搬送方向に直交する方向及び前記搬送方向に平行する方向に延びるようにスリット機構を構成したので、吸収性シートには、スリット刃が押し付けられることで、搬送方向に直交する方向及び搬送方向に平行する方向に延びる被押圧部が形成される。
【００２７】
ここで、伸張機構を、搬送方向に直交する方向に延びる複数の突出部を外表面に備えた少なくとも一対の第１回転ローラを有する構成とした。これにより、被押圧部が形成された吸収性シートは、搬送されて伸張機構を通過する際、搬送方向に直交する方向に延びる複数の突出部が噛合することに伴って、この噛合部位に巻き込まれ、搬送方向に平行する方向に伸張させられる。
【００２８】
更に、伸張機構を、搬送方向に直交する方向に一定間隔をあけて、搬送される吸収性シートの上下側の各々に順次配置される複数の第２回転ローラを有する構成とした。これにより、被押圧部が形成された吸収性シートは、搬送されて伸張機構を通過する際、回転ローラの各々によって上下交互に押し曲げられることにより、搬送方向に直交する方向に伸張させられる。
【００２９】
このため、高速搬送される吸収性シートにスリット刃が充分に押し付けられず、スリット刃が吸収性シートを貫通しなかった場合であっても、搬送方向に平行する方向及び搬送方向に直交する方向に伸張させられることで、各々、搬送方向に直交する方向及び搬送方向に平行する方向に延びる被押圧部が貫通させられ、スリットが形成される。
従って、連続する吸収性シートの高速搬送を行う場合でも、スリットが形成された吸収体をより確実に製造できる。
【００３０】
なお、伸張機構における第１回転ローラ及び第２回転ローラの配置は特に限定されない。即ち、第１回転ローラの上流に第２回転ローラを配置してもよいし、第２回転ローラの上流に第１回転ローラを配置してもよい。
【００３１】
また、（５）の製造装置により製造される吸収体は、二方向にスリットが形成されるので、（３）又は（４）の製造装置により製造される吸収体に比べ、着衣の動きに対して、より追従できる。
【００３２】
（６）  （２）から（５）記載の製造装置により製造された吸収性物品用吸収体。
【００３３】
（６）の発明によれば、吸収体を上述した製造装置によって製造したので、上述した製造装置を同様の効果が得られる。
【発明の効果】
【００３４】
本発明の製造方法によれば、次のような効果が得られる。
切断工程の前に、複数のスリット刃が押し付けられた吸収性シートを所定方向に直交する方向に伸張させて、スリットを形成する工程を設けた。このため、高速搬送される吸収性シートにスリット刃が充分に押し付けられず、スリット刃が吸収性シートを貫通しなかった場合であっても、複数のスリット刃が延びる方向に直交する方向に伸張されて、スリットが形成される。
従って、連続する吸収性シートの高速搬送を行う場合でも、スリットが形成された吸収体をより確実に製造できる。
【００３５】
本発明の製造装置によれば、次のような効果が得られる。
切断機構の上流に、スリット刃が押し付けられた吸収性シートを所定方向に直交する方向に伸張させて、スリットを形成する伸張機構を設けた。このため、高速搬送される吸収性シートにスリット刃が充分に押し付けられず、スリット刃が吸収性シートを貫通しなかった場合であっても、吸収性シートが複数のスリット刃が延びる方向に直交する方向に伸張させられ、スリットが形成される。
従って、連続する吸収性シートの高速搬送を行う場合でも、スリットが形成された吸収体をより確実に製造できる。
【発明を実施するための最良の形態】
【００３６】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００３７】
＜第１実施形態＞
［製造装置の全体構成］
図１は、本発明の第１実施形態の吸収体の製造装置１を示す概略図である。
【００３８】
製造装置１は、図示しない搬送機構と、スリット機構２０と、切断機構３０と、を有する。また、製造装置１は、スリット機構２０の下流且つ切断機構３０の上流に、伸張機構４０を備える。
【００３９】
製造装置１には、連続する長尺状の吸収性シート１０５が載置されている。そして、スリット機構２０、切断機構３０、伸張機構４０を構成するローラ（後述する）の各々は、いずれも、搬送方向と略同じ方向に回転するように配置されている。
【００４０】
連続する長尺状の吸収性シート１０５は、粉砕パルプ及び吸収ポリマーの混合体が、ティッシュペーパで包摂された構造である。吸収性シート１０５は、粉砕パルプについては、目付けが１８０ｇ／ｍ２の部位と、５００ｇ／ｍ２の部位とが、吸収性シート１０５の長手方向に交互に配置されるように形成され、吸収ポリマーについては目付け１０ｇ／ｍ２で吸収性シート１０５全体が均一となるように形成されている。
この粉砕パルプの目付けが１８０ｇ／ｍ２の部位は、プレス加工されて表面が平らにされている。
【００４１】
［搬送機構］
搬送機構としては、ローラ、ベルトコンベヤ等が挙げられる。このうち、吸収性シート１０５を高速搬送可能な点で、ローラが好ましい。
【００４２】
［スリット機構］
図２は、スリット機構２０を構成するスリットローラ２１に設けられるスリット刃２２の先端形状を示す図である。
スリット機構２０は、スリットローラ２１と、このスリットローラ２１を回転させる図示しないスリットローラ回転機構としての駆動モータと、このスリットローラ２１に対向配置され、スリットローラ２１とともに吸収性シート１０５を挟む受け側ローラ２５と、を備える。
【００４３】
スリットローラ２１は、複数のスリット刃２２を外表面の一部に備える。そして、これらスリット刃２２は、刃先２３がスリットローラ２１の回転方向に延びるように設けられている。
【００４４】
スリット刃２２は、回転方向に直交する辺の寸法ｊが２．６ｍｍ、回転方向に平行する辺の寸法ｋが５ｍｍの長方形を底面とし、最大高さｈが４ｍｍである。
【００４５】
駆動モータにより、スリットローラ２１は、吸収性シート１０５のうち、粉砕パルプの目付けが１８０ｇ／ｍ２の部位に、スリット刃２２が押し付けられるように回転制御されている。
【００４６】
受け側ローラ２５は、所定の押圧力でスリットローラ２１に押し付けられ、特に限定されないが、スリット刃２２の刃先２３を損傷しないように表面が柔らかくなっていてもよい。また、受け側ローラ２５は、スリット刃２２にせん断力が生じないようにスリットローラ２１と同期して回転する。
【００４７】
［伸張機構］
図３は、伸張機構４０を回転方向から見た正面図である。また、図４は、図３の伸張機構４０を矢印Ｐ方向から見た側面図である。
伸張機構４０は、吸収性シート１０５の搬送方向に直交する方向に一定間隔（図３中、ｄで示す）をあけて、吸収性シート１０５の上下側の各々に順次配置される３つの回転ローラ４１ａ、４１ｂ、４１ｃを備える。
一方、吸収性シート１０５の搬送方向に直交する方向における、回転ローラ４１ｂ、４１ｃの外側には、一対の挟持ローラ４５ａ、４５ｂが各々設けられている。
【００４８】
一対の挟持ローラ４５ａ、４５ｂは、各々、吸収性シート１０５の長手方向に延びる両側縁部１０５ａ、１０５ｂを挟持している。更に、回転ローラ４１ｂ、４１ｃは吸収性シート１０５を下側へ押し曲げ、回転ローラ４１ａは吸収性シート１０５を上側へ押し曲げている。
これにより、吸収性シート１０５は、搬送方向に直交する方向に伸張させられている。
【００４９】
回転ローラ４１ａ、４１ｂ、４１ｃが配置される位置は、吸収性シート１０５の強度、粉砕パルプの目付や、ティッシュペーパの強度等に応じて適宜調整すればよく、特に限定されない。即ち、伸張させるために付加する力が小さすぎるとスリットが充分には形成されず、大きすぎると吸収性シート自体が破損する場合がある。
回転ローラ４１ａ、４１ｂ、４１ｃは、厚み３ｍｍ程度である。この厚みは適宜設定できるが、通常、０．５ｍｍ以上５ｍｍ以下でよい。
【００５０】
回転ローラ４１ａは、吸収性シート１０５の下側に設置された回転軸４２に嵌合されており、円形状断面を有するローラである。これにより、回転ローラ４１ａは、回転軸４２を軸とし、吸収性シート１０５の搬送速度に連動して回転自在に形成されている。
【００５１】
一方、回転ローラ４１ｂ、４１ｃは、吸収性シート１０５の上側に設置された回転軸４３に嵌合されており、円形から所定角度分の円弧が切欠された断面形状を有するローラである。切欠されずに残る円弧の長さは、スリットローラ２１におけるスリット刃２２が設けられている部位の回転方向の長さに略一致する。
【００５２】
回転ローラ４１ｂ、４１ｃには、これら回転ローラを回転させる図示しない回転ローラ駆動機構としての駆動モータが接続されている。この駆動モータにより、回転ローラ４１ｂ、４１ｃは、吸収性シート１０５の被押圧部１５０が通過する際には円弧部分４１１ｂ、４１１ｃが吸収性シート１０５側に巡り、被押圧部１５０が形成されていない部位が通過する際には切欠部分４１２ｂ、４１２ｃが吸収性シート１０５側に巡るように回転制御されている。
【００５３】
なお、本実施形態では、駆動モータを回転ローラ４１ｂ、４１ｃに接続したが、特に限定されず、複数の回転ローラのうち、円形から所定角度分の円弧が切欠された断面形状を有するローラに接続すればよい。
【００５４】
一対の挟持ローラ４５ａ、４５ｂは、これらのローラを回転させる挟持ローラ駆動機構としての図示しない駆動モータに接続されている。なお、本実施形態においては、一対の挟持ローラ４５ａ、４５ｂを構成する全てのローラに駆動モータが接続されているが、特に限定されない。
【００５５】
［切断機構］
切断機構３０は、切断ローラ３１と、この切断ローラ３１を回転させる図示しない切断ローラ回転機構としての駆動モータと、この切断ローラ３１に対向配置され、切断ローラ３１とともに吸収性シート１０５を挟む受け側ローラ３５と、を備える。
【００５６】
切断ローラ３１には、先端に刃先を有する図示しない切断刃が突出して形成されている。また、この切断ローラ３１の内側には、反発弾性力の高いスポンジが部分的あるいは全面的に設けられている。
【００５７】
切断ローラ３１は、長手方向中央部に後述するスリット１５５が形成されていない部位が配置され、この中央部を挟むようにスリット１５５が形成されている部位が配置される後述する吸収体１１０を形成するように、駆動モータによって回転制御されている。
【００５８】
受け側ローラ３５は、所定の押圧力で切断ローラ３１に押し付けられており、特に限定されないが、切断刃の刃先を損傷しないように表面が柔らかくなっていてもよい。また、受け側ローラ２５は、切断刃にせん断力が生じないように切断ローラ３１と同期して回転する。
【００５９】
［製造装置の作動］
製造装置１は、以下のように作動する。
【００６０】
製造装置１に載置されている吸収性シート１０５は、搬送機構により、スリット機構２０にまず搬送される。
【００６１】
スリット機構２０のスリットローラ２１は、駆動モータにより回転させられている。このスリットローラ２１の回転に伴って、吸収性シート１０５には、回転方向に刃先が延びるように設けられた複数のスリット刃２２が押し付けられ、搬送方向に延びる複数の被押圧部１５０が形成される。
【００６２】
次に、搬送方向に延びる複数の被押圧部１５０が形成された吸収性シート１０５は、搬送機構により、伸張機構４０に搬送される。
【００６３】
伸張機構４０の一対の挟持ローラ４５ａ、４５ｂは、各々、吸収性シート１０５の長手方向の両側縁部１０５ａ、１０５ｂを挟持しながら通過させる。
【００６４】
回転ローラ４１ａは、回転軸４２を軸とし、吸収性シート１０５の通過速度に連動して自在に回転する。回転ローラ４１ａにより、通過する吸収性シート１０５は、上側へ押し曲げられる。
【００６５】
回転ローラ４１ｂ、４１ｃは、駆動モータにより回転させられている。この駆動モータにより、吸収性シート１０５の被押圧部１５０が通過する際には回転ローラ４１ｂ、４１ｃの円弧部分４１１ｂ、４１１ｃが吸収性シート１０５側に巡り、これら円弧部分４１１ｂ、４１１ｃによって、通過する吸収性シート１０５は下側へ押し曲げられる。
【００６６】
これにより、搬送方向に直交する方向に吸収性シート１０５が伸張させられることにより、被押圧部１５０が貫通し、スリット１５５が形成される。
【００６７】
一方、吸収性シート１０５の被押圧部１５０が形成されていない部位が通過する際には切欠部分４１２ｂ、４１２ｃが吸収性シート１０５側に巡り、回転ローラ４１ｂ、４１ｃは通過する吸収性シート１０５と離隔する。よって、吸収性シート１０５は下側へ押し曲げられないので、吸収性シート１０５の嵩が減少されないから、被押圧部１５０が形成されていない部位も柔軟性が損なわれない。
【００６８】
次に、スリット１５５が形成された吸収性シート１０５は、搬送機構により、切断機構３０に搬送される。
【００６９】
切断機構３０の切断ローラ３１は、駆動モータにより回転させられている。この切断ローラ３１の回転に伴って、吸収性シート１０５には、突出するように設けられた切断刃が押し付けられる。これにより、吸収性シート１０５は略矩形状（所定形状の一例）に切断され、生理用ナプキン１００（吸収性物品の一例）に用いられる吸収体１１０が形成される。
【００７０】
［吸収体］
図５は、本実施形態に係る製造装置１により製造された吸収体１１０の平面図である。図６は、吸収体１１０を使用した生理用ナプキン１００をトップシートを透視して見た平面図である。
【００７１】
吸収体１１０は、上述したように製造装置１により製造される。
この吸収体１１０は、略矩形状であり、長手方向に沿って延びる複数のスリット１５５が、吸収体１１０の長手方向中央部に配置された粉砕パルプ目付け５００ｇ／ｍ２の領域（図５中、白色で示す領域１１５）を除いて、設けられている。なお、実際にはスリット１５５が図５中の灰色で示す領域に設けられているが、図５においては省略した。
【００７２】
吸収体１１０は、例えば、生理用ナプキン１００の吸収体として使用される。
この生理用ナプキン１００は、液透過性のトップシートと、液不透過性のバックシート１３０と、これらトップシート及びバックシート１３０の間に介在する吸収体１１０を備える。吸収体１１０は、着用者の膣口に対向する対向領域の近傍１１１が粉砕パルプ目付け５００ｇ／ｍ２となるように配置され、この対向領域の近傍１１１を除いて、長手方向に沿って延びる複数のスリット１５５が設けられている。
【００７３】
また、吸収体１１０には、トップシートを伴って形成されるエンボス圧縮部１１２が、スリット１５５の形成部位を囲むように配置されている。
【００７４】
また、バックシート１３０の着衣側表面には、図示しないズレ止め手段としての感圧接着剤層が設けられている。
【００７５】
この生理用ナプキン１００によれば、複数のスリット１５５を設けたので、着衣等が動いたとき、吸収体１１０は連動して折り曲がり、折曲部の突出側外面がスリット１５５を拡開するとともに、折曲部の内側がスリット１５５を閉止する。これにより、生理用ナプキン１００は、折曲部における高剛性部位の発生を抑制しつつ、変形、折曲等できるから、柔軟性を向上できる。
しかも、吸収体１１０とバックシート１３０との接着領域が低下することにより、吸収体１１０とバックシート１３０との連動性が損なわれるという問題も生じにくい。よって、バックシート１３０は感圧接着剤層によって着衣の動きに連動し、このバックシート１３０の動きに連動して吸収体１１０が変形等できるから、ヨレを抑制できる。
【００７６】
更に、複数のスリット１５５が長手方向に沿って延びる構成としたので、吸収体１１０は、着衣の動きに連動して、例えば、短手方向中央部が容易に変形して隆起することにより、着用者の臀裂部に密着する。よって、排出された体液が臀裂部から漏れることを抑制できる。
【００７７】
しかも、吸収体１１０は、着用者の膣口に対向する対向領域の近傍１１１が粉砕パルプ目付け５００ｇ／ｍ２となるように配置したので、この対向領域の近傍１１１は比較的高剛性に構成される。よって、対向領域の過剰な柔軟性が原因となるヨレを抑制できる。
【００７８】
本実施形態によれば、以下のような作用効果が得られる。
スリット刃２２が搬送方向に平行する方向に延びるようにスリット機構２０を構成したので、吸収性シート１０５には、スリット刃２２が押し付けられることで、搬送方向に延びる被押圧部１５０が形成される。
ここで、伸張機構４０を、搬送方向に直交する方向に一定間隔をあけて、搬送される吸収性シート１０５の上下側の各々に順次配置される３つの回転ローラ４１ａ、４１ｂ、４１ｃを有する構成とした。これにより、被押圧部１５０が形成された吸収性シート１０５は、搬送されて伸張機構４０を通過する際、回転ローラ４１ａ、４１ｂ、４１ｃの各々によって上下交互に押し曲げられることにより、搬送方向に直交する方向に伸張させられる。
このため、高速搬送される吸収性シート１０５にスリット刃２２が充分に押し付けられず、スリット刃２２が吸収性シート１０５を貫通しなかった場合であっても、搬送方向に直交する方向に伸張させられることで、搬送方向に延びる被押圧部１５０が貫通させられ、スリット１５５が形成される。
従って、連続する吸収性シートの高速搬送（例えば、搬送速度１００〜４００ｍ／分）を行う場合でも、スリット１５５が形成された吸収体１１０をより確実に製造できる。
【００７９】
＜第２実施形態＞
図７は、本発明の第２実施形態に係る製造装置の伸張機構４０Ａを回転方向から見た図である。
本実施形態では、伸張機構４０Ａの構造が第１実施形態と異なる。
即ち、伸張機構４０Ａは、吸収性シート１０５Ａの搬送方向に直交する方向に一定間隔をあけて、吸収性シート１０５Ａの上下側の各々に順次配置される７つの回転ローラ４１Ａを備える。
【００８０】
本実施形態においては、伸張機構４０Ａには、吸収性シート１０５Ａの長手方向に沿った方向の両側縁１０５ａＡ、１０５ｂＡを挟持するローラは特に設けていない。しかし、特に高速搬送の場合、吸収性シート１０５Ａを搬送するために搬送機構から付加される長手方向向きの張力が大きいので、伸張機構４０Ａによる吸収性シート１０５Ａの搬送方向に直交する方向への伸張作用が大きく損なわれることはない。
【００８１】
従って、本実施形態によれば、前述した第１実施形態と同様の作用効果が得られる。
【００８２】
＜第３実施形態＞
図８は、本発明の第３実施形態に係る製造装置の伸張機構４０Ｂを示す斜視図である。また、図９は、図８の伸張機構４０Ｂを矢印Ｑ方向から見た図である。
【００８３】
本実施形態では、スリット機構及び伸張機構４０Ｂの構造が第１実施形態と異なる。
即ち、スリット機構を構成するスリットローラは、複数のスリット刃を外表面の一部に備える。そして、これらスリット刃は、刃先がスリットローラの回転方向に直交する方向に延びるように設けられている。
また、伸張機構４０Ｂは、搬送方向に直交する方向に延びる複数の突出部４４を外表面に備えた一対の回転ローラ４１Ｂを有する。これら一対の回転ローラ４１Ｂは、吸収性シート１０５Ｂの短手方向の寸法よりも大きい幅（図８中、ｇで示す）を備える。これにより、吸収性シート１０５Ｂは、複数の突出部４４が噛合することに伴って、この噛合部位に巻き込まれ、搬送方向に伸張させられている。
【００８４】
この製造装置は、以下のように作動する。
スリットローラの回転に伴って、吸収性シート１０５Ｂには、回転方向に直交する方向に刃先が延びるように設けられた複数のスリット刃が押し付けられ、搬送方向に直交する方向に延びる複数の被押圧部が形成される。
【００８５】
搬送方向に直交する方向に延びる複数の被押圧部が形成された吸収性シート１０５Ｂは、搬送機構により、伸張機構４０Ｂに搬送される。
【００８６】
被押圧部が形成された吸収性シート１０５Ｂは、搬送されて伸張機構４０Ｂを通過する際、搬送方向に直交する方向に延びる複数の突出部４４が噛合することに伴って、この噛合部位に巻き込まれる。これにより、吸収性シート１０５Ｂが搬送方向に伸張させられるので、搬送方向に直交する方向に延びる被押圧部が貫通して、スリットが形成される。
【００８７】
本実施形態に係る製造装置により製造される吸収体は、略矩形状であり、短手方向に沿って延びる複数のスリットが、吸収体の長手方向中央部に配置された粉砕パルプ目付け５００ｇ／ｍ２の領域を除いて、設けられている。
【００８８】
この吸収体は、例えば、生理用ナプキンの吸収体として使用される。
この生理用ナプキンは、液透過性のトップシートと、液不透過性のバックシート１３０と、これらトップシート及びバックシートの間に介在する吸収体を備える。この吸収体は、着用者の膣口に対向する対向領域の近傍が粉砕パルプ目付け５００ｇ／ｍ２となるように配置され、この対向領域の近傍を除いて、短手方向に沿って延びる複数のスリットが設けられている。
【００８９】
通常、吸収体を構成する粉砕パルプは長手方向に配向することが多いが、この場合、短手方向に比べて長手方向の曲げ剛性値が高いため、短手方向に偏って屈曲し、ヨレが発生する場合がある。しかし、この生理用ナプキンによれば、複数のスリットが短手方向に沿って延びる構成としたので、吸収体は長手方向にも屈曲しやすくなる。これにより、長手方向及び短手方向のいずれにもバランス良く屈曲するので、ヨレを抑制できる。
【００９０】
本実施形態によれば、以下のような作用効果が得られる。
スリット刃が搬送方向に直交する方向に延びるようにスリット機構を構成したので、吸収性シート１０５Ｂには、スリット刃が押し付けられることで、搬送方向に直交する方向に延びる被押圧部が形成される。
ここで、伸張機構４０Ｂを、搬送方向に直交する方向に延びる複数の突出部４４を外表面に備えた一対の回転ローラ４１Ｂを有する構成とした。これにより、被押圧部が形成された吸収性シート１０５Ｂは、搬送されて伸張機構４０Ｂを通過する際、搬送方向に直交する方向に延びる複数の突出部４４が噛合することに伴って、この噛合部位に巻き込まれ、搬送方向に平行する方向に伸張させられる。
このため、高速搬送される吸収性シート１０５Ｂにスリット刃が充分に押し付けられず、スリット刃が吸収性シート１０５Ｂを貫通しなかった場合であっても、搬送方向に平行する方向に伸張させられることで、搬送方向に直交する方向に延びる被押圧部が貫通させられ、スリットが形成される。
従って、連続する吸収性シートの高速搬送（例えば、搬送速度１００〜４００ｍ／分）を行う場合でも、スリットが形成された吸収体をより確実に製造できる。
【００９１】
なお、本発明は前記実施形態に限定されるものではなく、本発明の目的を達成できる範囲での変形、改良等は本発明に含まれるものである。
例えば、スリット機構２０のスリット刃２２の刃先が延びる方向は、上述した実施形態においては、スリットローラ２１の円周方向あるいは円周方向に直交する方向としたが、これらに限定されない。目的に応じて、適宜、スリット刃２２が延びる方向、スリット刃２２の形状、寸法等は設定してよい。
【実施例】
【００９２】
＜実施例＞
本実施例では、第１実施形態と同様に、製造装置１を構成し、この製造装置１により連続する吸収性シート１０５から吸収体１１０を製造した。製造装置１に載置する前のプレス加工済み吸収性シートと、スリット機構２０を通過した直後の吸収性シートと、伸張機構４０を通過した直後の吸収性シートと、を採取し、各々の吸収性シートの剛性値を測定した。
なお、製造装置１は、搬送速度１７０ｍ／分となるように作動させた。
【００９３】
各々の吸収性シートの剛性値は、ガーレー剛軟度試験に準拠した方法により測定した。ここで、ガーレー剛軟度試験とは、紙パルプ技術協会が発行しているＪ．ＴＡＰＰＩ（ＪＡＰＡＮ  ＴＡＰＰＩ）の「紙パルプ試験方法」ＮＯ．４０−８３に記載の「加重曲げ法による紙及び板紙のこわさ試験方法（ガーレー法）」のことである。
【００９４】
この測定の結果、剛性値は、プレス加工済み吸収性シートが２９３ｍｇ、スリット機構２０通過直後の吸収性シートが３５５ｍｇ、伸張機構４０通過直後の吸収性シートが２０５ｍｇであった。
【００９５】
これにより、スリット機構２０を通過した吸収性シートでは、スリット機構２０のスリット刃２２が貫通しなかった部位が存在し、剛性が上昇していたことが分かった。一方で、伸張機構４０を通過することにより、スリット刃２２が貫通しなかった部位にもスリット１５５が形成され、剛性が減少していたことが分かった。更に、伸張機構４０を通過した後の吸収性シートは、スリット機構２０に載置される前の吸収性シートよりも、剛性が小さかった。
【００９６】
このように、本実施例に係る製造装置１によれば、連続する吸収性シートの高速搬送を行う場合でも、スリットが形成された吸収体をより確実に製造でき、剛性が小さく柔軟性に優れた吸収体を製造できることが分かった。
【図面の簡単な説明】
【００９７】
【図１】本発明の第１実施形態に係る製造装置を示す概略図である。
【図２】スリット機構を構成するスリットローラに設けられるスリット刃の先端形状を示す図である。
【図３】伸張機構を回転方向から見た正面図である。
【図４】図３の伸張機構を矢印Ｐ方向から見た側面図である。
【図５】本実施形態に係る製造装置により製造された吸収体の平面図である。
【図６】吸収体を使用した吸収性物品をトップシートを透視して見た平面図である。
【図７】本発明の第２実施形態に係る製造装置の伸張機構を回転方向から見た図である。
【図８】本発明の第３実施形態に係る製造装置の伸張機構を示す斜視図である。
【図９】図８の伸張機構を矢印Ｑ方向から見た図である。
【符号の説明】
【００９８】
１  製造装置
２０  スリット機構
２２  スリット刃
３０  切断機構
４０  伸張機構
４１  回転ローラ
４４  突出部
１００  生理用ナプキン（吸収性物品）
１０５  吸収性シート
１１０  吸収体（吸収性物品用吸収体）
１５５  スリット
【図１】
2007135646.tif 000003
【図２】
2007135646.tif 000004
【図３】
2007135646.tif 000005
【図４】
2007135646.tif 000006
【図５】
2007135646.tif 000007
【図６】
2007135646.tif 000008
【図７】
2007135646.tif 000009
【図８】
2007135646.tif 000010
【図９】
2007135646.tif 000011